(57)【要約】【課題】使用者がアルミサッシ、及びいかなる材質のドアもしくは内窓を任意に開き、並びにロック固定できる嵌合構造を持つドア、窓嵌合構造を提案する。【解決手段】本考案のドア、窓嵌合構造は、第一引戸11、第二引戸12が二つの引戸を開閉させる為の外枠体13をスライドし、並びに二つの引戸の相対する位置に嵌合固定構造20を設け、各引戸はドア、窓口箇所に取り付ける構造であり、その特徴は嵌合固定構造20にあり、第一引戸11の第二引戸12卵、面に近い場所に嵌合部21を設けたもので、嵌合部21に相対する第二引戸12箇所には鈎状取付部22を設け、その鈎状取付部22の一方は引戸上に固定されるものとし、固定されていない一方には二つ以上の鈎状部222を突設、嵌合部21が鈎状部222の適当位置に引き掛けられて嵌合することを特徴としている。【選択図】図4
0003127108.tif 000002
【実用新案登録請求の範囲】
【請求項１】
主に、第一引戸、第二引戸がこの二つの引戸を開閉させる為の外枠体をスライドし、並びに二つの引戸の相対位置に嵌合固定構造を設けた、ドア、窓嵌合構造において、
その嵌合固定構造は、第一引戸の第二引戸一側面に近い一方箇所に嵌合部を設け、嵌合部に相対する第二引戸箇所には鈎状取付部を設け、その鈎状取付部の一方は引戸上に固定されるものとし、固定されていない一方は水平方向に延伸されて二つ以上の鈎状部を突設している故、嵌合部が鈎状部の適当位置に引き掛けられて嵌合することを特徴とするドア、窓嵌合構造。
【請求項２】
前記嵌合構造は、更にロック構造を含むことを特徴とする請求項1記載のドア、窓嵌合構造。
【請求項３】
前記ロック構造は、嵌合部の中間位置に穿孔を設け、第二引戸が位置を固定させた後、鍵によってロックすることを特徴とする請求項2記載のドア、窓嵌合構造。
【請求項４】
前記ロック構造は、嵌合部の底体箇所にスライドロックを設け、第二引戸を固定させた後、ロックを一方に押し動かすものであることを特徴とする請求項5記載のドア、窓嵌合構造。
【請求項５】
各鈎状部は適当に位置を保つことを特徴とする請求項1記載のドア、窓嵌合構造。
【請求項６】
前記嵌合部にはレバーを設けることを特徴とする請求項7記載のドア、窓嵌合
構造。
【請求項７】
二つの引戸はドア、窓口箇所に取り付けることを特徴とする請求項1記載のドア、窓嵌合構造。
【考案の詳細な説明】
【技術分野】
【０００１】
本考案は、ドア、窓引戸の嵌合構造であり、特に使用者がアルミサッシ、いかなる材質のドアもしくは内窓を任意に開き、並びにロック固定できる嵌合構造を提案する。
【背景技術】
【０００２】
現在、ドア、窓10の組み合わせは図1に示す様なものであり、第一引戸11、第二引戸12は、各引戸を開閉させる為の建築物の外枠体13に対して滑動可能状態で固設、各引戸はドアもしくは窓箇所に取りつけて、使用者が引戸を任意に開閉することにより室外の空気を流通させて空気量を調節する。
現在は盗難事件が日増しする一方で、使用者はドア、窓の開閉時、通常は嵌合固定構造20によってドア、窓をしっかり閉め、更に嵌合固定構造20でロックをしており、これは図2に示すとおりであり、こぅして盗難防止効果を達成している。
図3に、一般的な嵌合固定構造20を示す。これは、相対位置にある第一引戸皿及び第二引戸12がそれぞれ嵌合部21及び鈎状取付部22を設けており、ロックされると、嵌合部21の引掛部211によって鈎状取付部22の鈎状部222を引き掛け、効果を達成している。
【考案の開示】
【考案が解決しようとする課題】
【０００３】
しかしながら、ロック効果があるにも関わらず、ドア、窓の欠点及び実用性に乏しい点は下記に示すとおりである。一般住宅もしくは高層住宅に使用されるドア、窓は、開ける時嵌合部21が鈎状取付部22と引っ掛かっておらず、ロック効果を持たず、子供がよじ登って落下する事故が発生する可能性もある。また、泥棒が入り込む危険もあり不安を駆り立てられ、長い間ドア、窓を閉めていれば通気が悪くなる故、最良効果を生むことはできない。
【課題を解決するための手段】
【０００４】
上記課題を解決するために、本考案のドア、窓嵌合構造は、第一引戸11、第二引戸12が二つの引戸を開閉させる為の外枠体13をスライドし、並びに二つの引戸の相対する位置に嵌合固定構造20を設け、各引戸はドア、窓口箇所に取り付ける構造であり、その特徴は嵌合固定構造20にあり、第一引戸11の第二引戸12卵、面に近い場所に嵌合部21を設けたもので、嵌合部21に相対する第二引戸12箇所に泣鈎状取付部22を設け、その鈎状取付部22の一方は引戸上に固定されるものとし、固定されていない一方には二つ以上の鈎状部222を突設、嵌合部21が鈎状部222の適当位置に引き掛けられて嵌合することを特徴としている故、
ドア、窓は必要に応じて開閉して通風させることができ、泥棒の侵入を防止、また子供がよじ登って外に落下する事故をも防ぐことができる。
【考案の効果】
【０００５】
以上説明したよぅに、本考案のドア、窓嵌合構造は、使用者がアルミサッシ、いかなる材質のドアもしくは内窓を任意に開き、並びにロック固定できる嵌合構造を持つ故、ドア、窓は必要に応じて開閉して通風させることができ、泥棒の侵入を防止、また子供がよじ登って外に落下する事故をも防ぐことができることを特徴とする。
【０００６】
更に、本考案のドア、窓嵌合構造には、嵌合構造にロック構造を加えることも可能であり、そのロック構造は任意形式を採り、嵌合部21の中間位置に穿孔213を設け、第二引戸12が位置を固定させた後、鍵30によってロックする構造であり、そのロック構造は、嵌合部21の底体箇所にスライドロック214を設けたものであり、同様に第二引戸12を固定させた後、嵌合部21が作動しないようにスライドロック214を一方に押し動かしてロックすることにより、同様のロック効果を達成することを特徴とする。
【考案を実施するための最良の形態】
【０００７】
本考案のドア、窓嵌合構造は、図4に示すとおりであり、ドア、窓l0は、建築物に対してスライド可能で固定されている第一引戸11、第二引戸12、二つの引戸を開閉させる外枠体13、及び嵌合固定構造20によって構成されており、各引戸はドア、窓口箇所に取りつけてある故、使用者は外枠体に取り付けた二つの引戸を開いて通風させたり閉めたりするのを選択する効果を持つ。
【０００８】
本考案の大きな特徴は、図5に示したとおり嵌合固定構造20にあり、第一引戸11の第二引戸12卵、面に近い場所に嵌合部21を設けたもので、その嵌合部21にはレバー212及び引掛部211を設け、また嵌合部21に相対する第二引戸12箇所には鈎状取付部22を設け、その鈎状取付部22の一方は引戸上に固定されるものとし、固定されていない一方は水平方向に延伸されて二つ以上の鈎状部222(本実施例においては五つの鈎状部222を設けた)を突設、それぞれの鈎状部222は皆適当な距離を保って配列されている故、使用者がドア、窓を空ける大きさを選択した後、嵌合部21が鈎状取付部22上の適当な鈎状部222に引き掛けられて嵌合する。
【０００９】
図6に、使用者が引戸を開いた場合の位置を示す。嵌合部21の引掛部211は、レバー212が回転すると、引掛部211の相対位置にある鈎状部222と嵌合定位して、ドア、窓を開く効果を達成する。図8(A)に示したとおり、第一引戸11を第二引戸12方向に移動、嵌合固定構造20によって固定させると、空気は一方側から流入、また、図8(B)に示したとおり、第二引戸12を第一引戸11方向に移動、嵌合固定構造20で固定すると、空気は別の一方側から流入、更に、図8(C)に示したとおり、二つの引戸を同時に内側に移動させると空気は両側から流入する。
また、本考案のドア、窓嵌合構造は、嵌合構造にロック構造を加えることも可能であり、そのロック構造は任意形式を採り、本実施例における各図に示したのは、嵌合部21の中間位置に穿孔213を設け、第二引戸12が位置を固定させた後、鍵30によってロックする構造であり、図7に示したロック構造は、嵌合部21の底体箇所にスライドロック214を設けたものであり、同様に第二引戸12を固定させた後、嵌合部21が作動しないよぅにスライドロック214を一方に押し動かしてロックすることにより、同様のロック効果を達成する。
【図面の簡単な説明】
【００１０】
【図１】従来品のドア、窓引戸及び嵌合構造に関する全体見取図である。
【図２】従来品のドア、窓引戸の嵌合構造によるロック構造見取図である。
【図３】従来品の嵌合構造見取図である。
【図４】本考案のドア、窓引戸及び嵌合構造に関する構造見取図である。
【図５】本考案の嵌合構造に関する構造立体図である。
【図６】本考案の嵌合構造に関する構造立体図である。
【図７】本考案の嵌合構造に関するもう一つの構造立体図である。
【図８Ａ】本考案のドア、窓引戸のロック状態及び開いた状態の構造見取図である。
【図８Ｂ】本考案のドア、窓引戸のロック状態及び開いた状態の構造見取図である。
【図８Ｃ】本考案のドア、窓引戸のロック状態及び開いた状態の構造見取図である。
【符号の説明】
【００１１】
10    ドア、窓
11     第一引戸
19     第二引戸
13     外枠体
20    嵌合固定構造
21     嵌合部
211    引掛部
212    レバ一
213    穿孔
214    スライドロック
22     鈎状取付部
222    鈎状部
30    鍵
【図１】
0003127108.tif 000003
【図２】
0003127108.tif 000004
【図３】
0003127108.tif 000005
【図４】
0003127108.tif 000006
【図５】
0003127108.tif 000007
【図６】
0003127108.tif 000008
【図７】
0003127108.tif 000009
【図８Ａ】
0003127108.tif 000010
【図８Ｂ】
0003127108.tif 000011
【図８Ｃ】
0003127108.tif 000012
【手続補正書】
【提出日】平成18年9月26日(2006.9.26)
【手続補正１】
【補正対象書類名】実用新案登録請求の範囲
【補正対象項目名】請求項４
【補正方法】変更
【補正の内容】
【請求項４】
前記ロック構造は、嵌合部の底体箇所にスライドロックを設け、第二引戸を固定させた後、ロックを一方に押し動かすものであることを特徴とする請求項２記載のドア、窓嵌合構造。
【手続補正２】
【補正対象書類名】実用新案登録請求の範囲
【補正対象項目名】請求項６
【補正方法】変更
【補正の内容】
【請求項６】
前記嵌合部にはレバーを設けることを特徴とする請求項１記載のドア、窓嵌合
構造。